(57)【要約】【課題】複数のキーを平面的に配置した所定のキー操作面が遮蔽部材によって外部からの操作から遮蔽されている状態で、キーに関する省電力化を図ることのできる情報処理装置およびキー操作用電源の供給制御方法を得ること。【解決手段】開閉検出部２１９が折り畳み式の携帯電話機が閉じられたことを検出すると、制御部２０３は操作部２０５内のキースイッチ２３１kに直列に接続された筐体開閉スイッチ２３５kをオフにしてプルダウン抵抗２４２kから地気に流れる電流を絶つ。したがって、携帯電話機が閉じられた状態でキースイッチ２３１kが異物によって押されたような場合でも無駄な電流が流れることを防止できる。【選択図】図２
2008177876.tif 000002
【特許請求の範囲】
【請求項１】
複数のキーを平面的に配置した所定のキー操作面を備えた操作部と、
この操作部の前記キー操作面を少なくとも覆う面積を有する遮蔽部材と、
この遮蔽部材を前記キー操作面と対向する位置に移動させたり、前記キー操作面と対向する位置から退避させる遮蔽部材移動機構と、
この遮蔽部材移動機構が前記遮蔽部材を前記キー操作面と対向する位置に移動させた状態でこの状態を検出する遮蔽時検出手段と、
前記操作部の前記キー操作面のキー操作を電気的に検出するキー操作検出手段と、
このキー操作検出手段に電源を供給するキー操作用電源供給手段と、
前記遮蔽部材が前記キー操作面と対向する位置に移動したことを前記遮蔽時検出手段が検出している状態で前記キー操作用電源供給手段の電源供給を遮断し、これ以外の状態で前記キー操作用電源供給手段の電源供給を行うキー操作用電源供給制御手段
とを具備することを特徴とする情報処理装置。
【請求項２】
前記遮蔽部材は、ディスプレイを一方の面に配置した第１の筐体であり、
前記操作部は第２の筐体に配置されており、
前記遮蔽部材移動機構は、前記第１の筐体と第２の筐体が閉じた状態で前記ディスプレイと前記操作部が対向するようにこれら第１の筐体と第２の筐体を開閉自在に取り付けたヒンジ機構である
ことを特徴とする請求項１記載の情報処理装置。
【請求項３】
複数のキーを平面的に配置した操作部における所定のキー操作面を少なくとも覆う面積を有する遮蔽部材を前記キー操作面と対向する位置に移動させた状態にあるときこれを検出する遮蔽時検出手段と、
前記遮蔽部材が前記キー操作面と対向する位置に移動させた状態にあることをこの遮蔽時検出手段が検出している状態で前記操作部の前記キー操作面のキー操作を検出するための電源供給を遮断し、これ以外の状態で前記キー操作用電源供給手段の電源供給を行うキー操作用電源供給制御手段
とを具備することを特徴とする情報処理装置。
【請求項４】
複数のキーを平面的に配置した操作部における所定のキー操作面を少なくとも覆う面積を有する遮蔽部材を前記キー操作面と対向する位置に移動させたときこれを検出する遮蔽時検出手段と、
前記遮蔽部材を前記キー操作面と対向する位置に移動させたことが前記遮蔽時検出手段によって検出されたとき、前記操作部の前記キー操作面のキー操作を検出するための電源供給を停止するキー操作用電源供給停止手段と、
このキー操作用電源供給停止手段によって前記キー操作面のキー操作を検出するための電源供給が停止された後、前記遮蔽部材が前記キー操作面と対向する位置から退避したとき、所定の時間を計時するためのタイマの計測を開始させる計測開始手段と、
この計測開始手段で前記タイマの計測が開始した後、前記遮蔽部材が前記キー操作面と対向する位置に移動したことが前記遮蔽時検出手段によって検出されることなくこの計測が終了したとき前記操作部の前記キー操作面のキー操作を検出するための電源供給を開始させるキー操作用電源供給開始手段と、
前記計測開始手段によって前記タイマの計測を開始した後、この計測が終了する前に前記遮蔽部材が前記キー操作面と対向する位置に移動したことが前記遮蔽時検出手段によって検出されたとき、前記キー操作面のキー操作を検出するための電源供給を開始することなく前記遮蔽部材が前記キー操作面と対向する位置から退避するのを待って前記タイマの計測をリセットさせて開始させるタイマ計測再開手段
とを具備することを特徴とする情報処理装置。
【請求項５】
複数のキーを平面的に配置した操作部における所定のキー操作面を少なくとも覆う面積を有する遮蔽部材を前記キー操作面と対向する位置に移動させたときこれを検出する遮蔽時検出ステップと、
この遮蔽時検出ステップで前記遮蔽部材を前記キー操作面と対向する位置に移動させたことを検出したとき前記操作部の前記キー操作面のキー操作を検出するための電源供給を停止するキー操作用電源供給停止ステップと、
前記遮蔽部材が前記キー操作面と対向する位置から退避したとき前記操作部の前記キー操作面のキー操作を検出するための電源供給を開始するキー操作用電源供給開始ステップ
とを具備することを特徴とするキー操作用電源の供給制御方法。
【請求項６】
複数のキーを平面的に配置した操作部における所定のキー操作面を少なくとも覆う面積を有する遮蔽部材が前記キー操作面と対向する位置に移動したときこれを検出する遮蔽時検出ステップと、
この遮蔽時検出ステップで前記遮蔽部材が前記キー操作面と対向する位置に移動したことが検出されたとき前記操作部の前記キー操作面のキー操作を検出するための電源供給を停止するキー操作用電源供給停止ステップと、
このキー操作用電源供給停止ステップで前記キー操作面のキー操作を検出するための電源供給を停止した後、前記遮蔽部材が前記キー操作面と対向する位置から退避したとき、所定の時間を計時するためのタイマの計測を開始させる計測開始ステップと、
この計測開始ステップで前記タイマの計測を開始した後、前記遮蔽部材が前記キー操作面と対向する位置に移動したことが前記遮蔽時検出ステップによって検出されることなくこの計測が終了したとき前記操作部の前記キー操作面のキー操作を検出するための電源供給を開始するキー操作用電源供給開始ステップと、
前記計測開始ステップで前記タイマの計測を開始した後、この計測が終了する前に前記遮蔽部材が前記キー操作面と対向する位置に移動したことが前記遮蔽時検出ステップによって検出されたとき前記キー操作面のキー操作を検出するための電源供給を開始することなく前記キー操作用電源供給停止ステップに戻る電源供給停止継続ステップ
とを具備することを特徴とするキー操作用電源の供給制御方法。
【発明の詳細な説明】
【技術分野】
【０００１】
本発明は、携帯電話機、電子辞書、ノート型のパーソナルコンピュータのような情報処理装置およびキー操作用電源の供給制御方法に係わり、特に装置自体が折り畳み式あるいはスライド式の構造になっていたり、操作キーの表面保護用の開閉式のカバーが取り付けられた携帯型の情報処理装置およびキー操作用電源の供給制御方法に関する。
【背景技術】
【０００２】
携帯電話機、ＰＨＳ（Personal Handy-phone System）、ＰＤＡ（Personal Digital Assistant）、電子辞書、ノート型のパーソナルコンピュータのような情報処理装置の多くは携帯に便利な折り畳み型を広く採用している。
【０００３】
このような折り畳み型情報処理装置の多くは、２つの筐体をヒンジ機構によって開閉自在に連結している。そして、多くの場合には一方の筐体における他方の筐体と閉じ合わされる方の面にディスプレイを配置しており、他方の筐体の同じく閉じ合わされる方の面には複数のキースイッチを配置している。
【０００４】
図６は、折り畳み型情報処理装置の一例としての折り畳み型携帯電話機を開いた状態を表わしたものである。折り畳み型携帯電話機（以下、単に携帯電話機と称する。）１００は、第１の筐体１０１と第２の筐体１０２をヒンジ機構１０３によって開閉自在に連結している。第１の筐体１０１には、スピーカ１０４が図で上端部近傍に配置されており、その下の広い領域がディスプレイ（表示部）１０５となっている。第２の筐体１０２の図で下端部近傍には、マイクロフォン１０６が配置されており、その上の広い領域がダイヤル操作等のための複数のキースイッチ１０７からなる操作部１０８を構成している。
【０００５】
図７は、この携帯電話機を折り畳む直前の状態を断面構造として表わしたものである。携帯電話機１００のキースイッチ１０７のいずれかに比較的大きなゴミ等の異物１１１が付着した状態で、これを閉じようとしたとする。すると、異物１１１がディスプレイ１０５に押される状態となって、結果的にキースイッチ１０７が押し下げられてしまう。これによって、ユーザが全く予期しないキー操作が行われることになる。
【０００６】
そこで、携帯電話機の開閉に応じてモードを切り替える提案が行われている（たとえば特許文献１参照）。この提案では、磁気センサを用いて携帯電話機の開閉を検出して、開閉検出信号を出力するようにしている。そして、たとえば携帯電話機が開いた状態から閉じた状態になるときに、図６におけるディスプレイ１０５の電源をオフに切り替えたり、操作部１０８におけるキースイッチ１０７のキー機能を無効化するようにしている。
【特許文献１】特開２００３−０１８２４１号公報（第０００３段落、第００２４段落、第００２７段落、図２）
【発明の開示】
【発明が解決しようとする課題】
【０００７】
この提案は、携帯電話機の機能が増大し操作が煩雑となってきたことに鑑みて、操作の簡略化による操作ミスの発生を防止したものである。したがって、この提案では、携帯電話機を閉じる操作を行うことで、ディスプレイ１０５の画像表示モードを終了させるために表示のための電源をオフにしている。また、キースイッチ１０７の場合には携帯電話機が閉じられたときにキーの入力モードを終了させるために、キー入力により発生した押下情報をＣＰＵ（Central Processing Unit）等の制御部が受け取っても処理しない（無効化する）ようにしている。
【０００８】
たとえば、ユーザは携帯電話機を閉じても、電話や電子メールの受信を待機することが通常である。また、現在視聴している音楽をそのまま聞き続けながら、持ち運びの便宜上から携帯電話機を閉じる場合もある。すなわち、携帯電話機それ自体の電源をオフにすることと、本体を折り畳んでしまうこととは必ずしも一致しない。折り畳み式の携帯電話機を閉じても、前記したＣＰＵは電源の供給を受けて動作しており、操作部１０８のキースイッチ１０７からキーの押下情報を取得している。先の提案では、ユーザによる操作の簡略化から、携帯電話機が閉じた段階で、キースイッチ１０７の押下情報を無視するだけであるに過ぎない。
【０００９】
折り畳み式の携帯電話機では、折り畳まれた状態での操作部１０８の操作が前提とされていない。また、図７に示すような異物１１１によってキースイッチ１０７が継続的に押される事態も確率としては必ずしも多くない。しかしながら、近時、携帯電話機のディスプレイの表面に表面を保護したり、電源のオフ時に鏡として使用するための特殊なシートが使用されることが多くなっている。また、キースイッチ１０７の上にも、デザインの施されたシートを貼り付けることも行われている。このようなシートが局部的に破損したり剥がれると、その部分のシートの厚さが局部的に厚くなったり、またその部分に図７に示したような異物１１１が付着し易くなる。
【００１０】
この結果、携帯電話機を閉じたときに特定のキースイッチ１０７が継続的に押下される事態の発生が以前よりも増加している。ユーザがこの状態に気付かずに携帯電話機を使用し続けると、携帯電話機を閉じたときに本来流れない微少な電流が該当のキースイッチ１０７に流れ続けることになる。したがって、原因不明の状態で電池の寿命が短くなり、充電を頻繁に繰り返すことになった。
【００１１】
以上、折り畳み式の携帯電話機を例に挙げて説明したが、折り畳み式のその他の情報処理装置についても同様の問題があった。また、装置本体に開閉自在のカバーを取り付けた情報処理装置や、キースイッチの配置された操作面を装置本体にスライドして収容する構造の情報処理装置についても同様の問題があった。
【００１２】
そこで本発明の目的は、複数のキーを平面的に配置した所定のキー操作面が遮蔽部材によって外部からの操作から遮蔽されている状態で、キーに関する省電力化を図ることのできる情報処理装置およびキー操作用電源の供給制御方法を提供することにある。
【課題を解決するための手段】
【００１３】
請求項１記載の発明では、（イ）複数のキーを平面的に配置した所定のキー操作面を備えた操作部と、（ロ）この操作部のキー操作面を少なくとも覆う面積を有する遮蔽部材と、（ハ）この遮蔽部材をキー操作面と対向する位置に移動させたり、キー操作面と対向する位置から退避させる遮蔽部材移動機構と、（ニ）この遮蔽部材移動機構が遮蔽部材をキー操作面と対向する位置に移動させた状態でこの状態を検出する遮蔽時検出手段と、（ホ）操作部のキー操作面のキー操作を電気的に検出するキー操作検出手段と、（へ）このキー操作検出手段に電源を供給するキー操作用電源供給手段と、（ト）遮蔽部材がキー操作面と対向する位置に移動したことを遮蔽時検出手段が検出している状態でキー操作用電源供給手段の電源供給を遮断し、これ以外の状態でキー操作用電源供給手段の電源供給を行うキー操作用電源供給制御手段とを情報処理装置に具備させる。
【００１４】
すなわち本発明では、情報処理装置が操作部のキー操作面に対して遮蔽部材をこれと対向する位置に移動させたり、対向する位置から退避させることができる遮蔽部材移動機構を備えている。このような遮蔽部材移動機構は、たとえば折り畳み型の情報処理装置におけるヒンジ機構や、キーボードを装置本体の底部から引き出すスライド機構によって実現される。遮蔽時検出手段は、遮蔽部材移動機構が遮蔽部材をキー操作面と対向する位置に移動させた状態でこの状態を検出する。そして、遮蔽部材がキー操作面を覆う位置に移動したことを遮蔽時検出手段が検出している状態でキー操作用電源供給手段の電源供給を遮断し、これ以外の状態でキー操作用電源供給手段の電源供給を行うようにしている。これにより、キー操作面が遮蔽部材によって外部からの操作から遮蔽されている状態で、キーに関する省電力化を図ることができる。
【００１５】
請求項３記載の発明では、（イ）複数のキーを平面的に配置した操作部における所定のキー操作面を少なくとも覆う面積を有する遮蔽部材をキー操作面と対向する位置に移動させた状態にあるときこれを検出する遮蔽時検出手段と、（ロ）遮蔽部材がキー操作面と対向する位置に移動させた状態にあることをこの遮蔽時検出手段が検出している状態で操作部のキー操作面のキー操作を検出するための電源供給を遮断し、これ以外の状態でキー操作用電源供給手段の電源供給を行うキー操作用電源供給制御手段とを情報処理装置に具備させる。
【００１６】
すなわち本発明では、遮蔽時検出手段が複数のキーを平面的に配置した所定のキー操作面を少なくとも覆う面積を有する遮蔽部材をキー操作面と対向する位置に移動させた状態にあるときを検出して、操作部のキー操作面のキー操作を検出するための電源供給を遮断するようにしている。これにより、キー操作面が遮蔽部材によって外部からの操作から遮蔽されている状態で、キーに関する省電力化を図ることができる。
【００１７】
請求項４記載の発明では、（イ）複数のキーを平面的に配置した操作部における所定のキー操作面を少なくとも覆う面積を有する遮蔽部材をキー操作面と対向する位置に移動させたときこれを検出する遮蔽時検出手段と、（ロ）遮蔽部材をキー操作面と対向する位置に移動させたことが遮蔽時検出手段によって検出されたとき、操作部のキー操作面のキー操作を検出するための電源供給を停止するキー操作用電源供給停止手段と、（ハ）このキー操作用電源供給停止手段によってキー操作面のキー操作を検出するための電源供給が停止された後、遮蔽部材がキー操作面と対向する位置から退避したとき、所定の時間を計時するためのタイマの計測を開始させる計測開始手段と、（ニ）この計測開始手段でタイマの計測が開始した後、遮蔽部材がキー操作面と対向する位置に移動したことが遮蔽時検出手段によって検出されることなくこの計測が終了したとき操作部のキー操作面のキー操作を検出するための電源供給を開始させるキー操作用電源供給開始手段と、（ホ）計測開始手段によってタイマの計測を開始した後、この計測が終了する前に遮蔽部材がキー操作面と対向する位置に移動したことが遮蔽時検出手段によって検出されたとき、キー操作面のキー操作を検出するための電源供給を開始することなく遮蔽部材がキー操作面と対向する位置から退避するのを待ってタイマの計測をリセットさせて開始させるタイマ計測再開手段とを情報処理装置に具備させる。
【００１８】
すなわち本発明では、遮蔽部材をキー操作面と対向する位置に移動させたときこれを検出して操作部のキー操作面のキー操作を検出するための電源供給を停止するが、この後に遮蔽部材がキー操作面と対向する位置から退避しても短時間の後に再び遮蔽部材をキー操作面と対向する位置に移動してくる場合を想定し、このような場合には遮蔽部材がキー操作面と対向する位置から退避してキーの操作が物理的に可能な状態でも直ちには操作部のキー操作面のキー操作を検出するための電源供給を開始させないようにしている。このための時間の測定にタイマを使用している。この結果、本発明ではユーザがたとえば単に折り畳み式の情報処理装置の開閉のみを繰り返しているような場合に、ごみがキーに付着していてこれがキーを繰り返し押下するような場合が発生しても、これに伴う電力消費の無駄を解消あるいは軽減させることができる。
【００１９】
請求項５記載の発明では、（イ）複数のキーを平面的に配置した所定のキー操作面を少なくとも覆う面積を有する遮蔽部材をキー操作面と対向する位置に移動させたときこれを検出する遮蔽時検出ステップと、（ロ）この遮蔽時検出ステップで遮蔽部材をキー操作面と対向する位置に移動させたことを検出したとき操作部のキー操作面のキー操作を検出するための電源供給を停止するキー操作用電源供給停止ステップと、（ハ）遮蔽部材がキー操作面と対向する位置から退避したとき操作部のキー操作面のキー操作を検出するための電源供給を開始するキー操作用電源供給開始ステップとをキー操作用電源の供給制御方法に具備させる。
【００２０】
すなわち本発明では、遮蔽部材をキー操作面と対向する位置に移動させたとき、遮蔽時検出ステップでこれを検出し、操作部のキー操作面のキー操作を検出するための電源供給を停止する一方、遮蔽部材がキー操作面と対向する位置から退避したとき操作部のキー操作面のキー操作を検出するための電源供給を開始するようにしている。これにより、キー操作面が遮蔽部材によって外部からの操作から遮蔽されている状態で、キーに関する省電力化を図ることができる。
【００２１】
請求項６記載の発明では、（イ）複数のキーを平面的に配置した操作部における所定のキー操作面を少なくとも覆う面積を有する遮蔽部材がキー操作面と対向する位置に移動したときこれを検出する遮蔽時検出ステップと、（ロ）この遮蔽時検出ステップで遮蔽部材がキー操作面と対向する位置に移動したことが検出されたとき操作部のキー操作面のキー操作を検出するための電源供給を停止するキー操作用電源供給停止ステップと、（ハ）このキー操作用電源供給停止ステップでキー操作面のキー操作を検出するための電源供給を停止した後、遮蔽部材がキー操作面と対向する位置から退避したとき、所定の時間を計時するためのタイマの計測を開始させる計測開始ステップと、（ニ）この計測開始ステップでタイマの計測を開始した後、遮蔽部材がキー操作面と対向する位置に移動したことが遮蔽時検出ステップによって検出されることなくこの計測が終了したとき操作部のキー操作面のキー操作を検出するための電源供給を開始するキー操作用電源供給開始ステップと、（ホ）計測開始ステップでタイマの計測を開始した後、この計測が終了する前に遮蔽部材がキー操作面と対向する位置に移動したことが遮蔽時検出ステップによって検出されたときキー操作面のキー操作を検出するための電源供給を開始することなくキー操作用電源供給停止ステップに戻る電源供給停止継続ステップとをキー操作用電源の供給制御方法に具備させる。
【００２２】
すなわち本発明では、遮蔽部材をキー操作面と対向する位置に移動させたときこれを検出して操作部のキー操作面のキー操作を検出するための電源供給を停止するが、この後に遮蔽部材がキー操作面と対向する位置から退避しても短時間の後に再び遮蔽部材をキー操作面と対向する位置に移動してくる場合を想定し、このような場合には遮蔽部材がキー操作面と対向する位置から退避してキーの操作が物理的に可能な状態でも直ちには操作部のキー操作面のキー操作を検出するための電源供給を開始させないようにしている。このための時間の測定にタイマを使用している。この結果、本発明ではユーザがたとえば単に折り畳み式の情報処理装置の開閉のみを繰り返しているような場合に、ごみがキーに付着していてこれがキーを繰り返し押下するような場合が発生しても、これに伴う電力消費の無駄を解消あるいは軽減させることができる。
【発明の効果】
【００２３】
以上説明したように本発明によれば、遮蔽部材がキー操作面を外部から遮蔽して保護しているとき、キーの操作の検出のための電源供給を遮断することにしたので、この遮蔽状態でキーの入力操作を同時に無効にすることができる。しかも、キー操作を電気的に無効にする場合に比べて電力の消費を必要とせず、情報処理装置全体の消費電力の低減に寄与する。したがって、キーの操作面に各種のシールを貼っているような場合でこれが部分的に捲くれ上がっているような場合でも、キーの誤動作を防止して、携帯用の電池の無駄な電力消費を防止することができる。
【発明を実施するための最良の形態】
【００２４】
以下実施例につき本発明を詳細に説明する。
【実施例１】
【００２５】
図１は、本発明の一実施例における携帯電話機の回路構成の概要を表わしたものである。本実施例の携帯電話機２００の概観は図６と同様である。そこで本実施例についても図６を適宜使用して説明を行う。
【００２６】
図１に示した携帯電話機２００は、ＣＰＵ２０１とこのＣＰＵ２０１が実行する制御プログラムを格納したＲＯＭ（Read Only Memory）等のメモリからなる制御プログラム格納部２０２を備えた制御部２０３を有している。制御部２０３は、携帯電話機２００内の主要な各部と接続されており、各種の制御を行うようになっている。
【００２７】
このうち操作部２０５は、図６に示す操作部１０８に対応する部分で、図示しないが複数のキースイッチ（図６のキースイッチ１０７に対応。）を備えている。回路電源部２０６は、電池２０７を内蔵している。この回路電源部２０６は、電源ライン２０８を制御部２０３に接続しており、これによって電源の供給を行っている。制御部２０３は電源ライン２０８によって自己の消費する電源の供給を受ける他に、各部に必要な電源を供給している。
【００２８】
操作部２０５は、制御部２０３から携帯電話機２００の開閉に連動してオン・オフする開閉状態信号２０９の供給を受けている。この操作部２０５からはキースイッチの数に対応したキー押下信号２１１1〜２１１mを出力するようになっている。これらのキー押下信号２１１1〜２１１mは回路電源部２０６に供給され、キー押下信号２１２1〜２１２mとして、キー押下検出部２１３に入力されるようになっている。キー押下検出部２１３の検出結果２１４1〜２１４mは、制御部２０３に入力されるようになっている。
【００２９】
制御部２０３は、この他に記憶部２１５、音声入出力部２１６、表示部２１７、無線部２１８および開閉検出部２１９と接続されている。このうち記憶部２１５は、制御部２０３内の制御プログラム格納部２０２と共通あるいは別個の記憶媒体からなり、携帯電話機２００に必要な各種のデータを記憶するようになっている。これらは、たとえば無線部２１８で通信する際に必要な電話帳や通信によって得られた電子メールデータおよび送信のために作成された電子メールデータならびに図示しないカメラによって撮影された画像データを含んでいる。
【００３０】
音声入出力部２１６は、図６に示したスピーカ１０４およびマイクロフォン１０６ならびに着信音やアラームを出力するための図示しない鳴動用スピーカと、これらの増幅回路から構成されている。表示部２１７は、図６に示したディスプレイ１０５と図示しない表示用の駆動回路を備えている。無線部２１８は、アンテナ部２２１を付属しており、図示しない無線基地局と無線通信を行うようになっている。開閉検出部２１９は、図示しない磁気センサや光センサあるいはマイクロスイッチ等の機械式センサによって図６に示した第１の筐体１０１と第２の筐体１０２の開閉を検出するようになっている。
【００３１】
図２は、本実施例の操作部と回路電源部の要部とこれらに関係する回路部分を具体的に表わしたものである。図２で操作部２０５は、図１に示した操作部２０５を構成する複数のキースイッチのうちの１つについての回路のみを表わしている。回路電源部２０６についても同様である。任意のキースイッチ２３１k（ただし符号ｋは数値「１」から数値「ｍ」までの間の任意の整数。）は、上下動自在に配置された接片２３２と、その下側に配置された１対の接点２３３、２３４と、これらの間に配置された図示しないバネからなっており、接片２３２に下向きの力が作用していない限り接片２３２と２つの接点２３３、２３４は電気的に非接触の状態となっている。キースイッチ２３１kの一方の接点２３３は接地されており、他方の接点２３４は筐体開閉スイッチ２３５kの一方の接点２３６に接続されている。
【００３２】
筐体開閉スイッチ２３５kはキースイッチ２３１kと同様のノーマルオープン（常開）タイプのスイッチであり、接片２３７と１対の接点２３６、２３８の間を電気的にオン・オフさせるようになっている。接点２３８は、電圧出力ライン２３９kの一端に接続されている。電圧出力ライン２３９kの他端は、キー押下検出部２１３における筐体開閉スイッチ２３５kに対応する検出箇所に接続されている。筐体開閉スイッチ２３５kは、制御部２０３から供給される開閉状態信号２０９が「開」の状態のとき、すなわち図６に示すように第１の筐体１０１と第２の筐体１０２が開いた状態で接片２３７によって１対の接点２３６、２３８が導通するようになっている。また、開閉状態信号２０９が「閉」の状態では、１対の接点２３６、２３８の間が絶縁状態となる。このような筐体開閉スイッチ２３５kは、たとえばスイッチングトランジスタのような電子的なスイッチによって構成することができる。
【００３３】
回路電源部２０６は、図１に示した電池２０７の一端に接続された電源ライン２４１と、この電源ライン２４１と電圧出力ライン２３９kの間に接続されたプルダウン抵抗２４２kによって構成されている。したがって、開閉検出部２１９によって携帯電話機２００が開いていることが検出されて筐体開閉スイッチ２３５kがオンになっている状態では、ユーザの操作によってキースイッチ２３１kが押下されると、プルダウン抵抗２４２kの電圧出力ライン２３９k側が接地される。したがって、この場合には、キースイッチ２３１kに対応する電圧出力ライン２３９kは接地電位である０ボルトとなる。
【００３４】
一方、キースイッチ２３１kの押下が解除されると、プルダウン抵抗２４２kの電圧出力ライン２３９k側が接地されなくなる。これにより、プルダウン抵抗２４２kの電圧降下が生じなくなって、電圧出力ライン２３９k側が電源ライン２４１と同一の電位に変化する。
【００３５】
このように携帯電話機２００が開いており筐体開閉スイッチ２３５kがこれによってオンになっている状態では、キースイッチ２３１kのオン・オフをキー押下検出部２１３が電位変化によって検出する。そして、キー押下検出部２１３の検出結果２１４kが制御部２０３に入力されることになる。
【００３６】
これに対して、携帯電話機２００が閉じて筐体開閉スイッチ２３５kがオフになると、開閉状態信号２０９が「閉」となって、１対の接点２３６、２３８の間が絶縁状態となる。この状態では、キースイッチ２３１kの押下の有無に係らず回路電源部２０６のキー押下信号２１２kは電源ライン２４１と同一の電位に保持されている。この結果、キー押下検出部２１３の検出結果２１４kはキースイッチ２３１kが押されていない状態に保たれる。
【００３７】
そこで、図７に示した異物１１１がキースイッチ２３１kの上に付着している場合を考える。たとえば図７に示すようにディスプレイ１０５が異物１１１と接触していない状態で、かつこの異物１１１の自重がそれほど重くない場合、キースイッチ２３１kがオフとなっている。この状態で電圧出力ライン２３９kは電源ライン２４１と同一の電位に保たれており、キー押下検出部２１３はキースイッチ２３１kが押されていない状態を検出している。筐体開閉スイッチ２３５kはこの状態でオンとなっているので、ユーザがキースイッチ２３１kを押せばその間、キー押下検出部２１３の検出する電位が接地側の電位に変化して、キースイッチ２３１kの押下が検出されることになる。
【００３８】
ユーザがキースイッチ２３１kを押下していない状態で携帯電話機２００を閉じていったとする。これにより、ある時点で図７に示す異物１１１がディスプレイ１０５に接触する。これ以後、異物１１１によるキースイッチ２３１kの押下が開始される。この時点と相前後して、図２に示す開閉検出部２１９が携帯電話機２００の閉じた状態を検出して、筐体開閉スイッチ２３５kがオフとなる。これにより、プルダウン抵抗２４２kに流れる電流は遮断された状態となり、キー押下検出部２１３はキースイッチ２３１kが押されていない状態を検出する。すなわち、携帯電話機２００が閉じる過程で異物１１１によるキースイッチ２３１kの押下を一時的に検出したとしても、筐体開閉スイッチ２３５kがオフとなった時点で、プルダウン抵抗２４２kの地気側との接触が絶たれ、キースイッチ２３１kを流れる電流は遮断される。異物１１１によるキースイッチ２３１kの押下よりも前に開閉検出部２１９が携帯電話機２００の閉じた状態を検出した場合には、異物１１１によるキースイッチ２３１kの押下はいずれの時点でも検出されないことになる。
【００３９】
図３は、制御部による開閉状態信号の出力制御の様子を表わしたものである。図１に示した制御部２０３は、開閉検出部２１９が携帯電話機２００の折り畳み状態を検出しているかどうかを監視している（ステップＳ３０１）。折り畳み状態を検出していない場合には（Ｎ）、開閉状態信号２０９をオン状態にして、図２に示す筐体開閉スイッチ２３５kをオンにする（ステップＳ３０２）。この状態では、図２に示すキースイッチ２３１kの動作の検出が可能になる。
【００４０】
一方、開閉検出部２１９が携帯電話機２００の折り畳み状態を検出している場合には（ステップＳ３０１：Ｙ）、開閉状態信号２０９をオフ状態にして、筐体開閉スイッチ２３５kをオフにする（ステップＳ３０３）。この状態では、図２に示すキースイッチ２３１kが押された状態でも、その検出は行われない。これにより、異物によりキースイッチ２３１kが誤って押されていても、これによる電流が流れず、制御部２０３（図２）がキースイッチ２３１kの動作を検出することはない。
【００４１】
＜発明の第１の変形例＞
【００４２】
図４は、本発明の第１の変形例における携帯電話機の回路構成の要部を表わしたものである。この第１の変形例では、操作部２０５Ａに第１〜第ｍのキースイッチ２３１1〜２３１mが配置されているが、接地されていない側の接点２３４はキー押下検出部２１３の第１〜第ｍの入力ライン４０１1〜４０１mの対応するものに直接接続されている。すなわち、実施例の図２に示した筐体開閉スイッチ２３５kは操作部２０５Ａに配置されていない。
【００４３】
回路電源部２０６Ａには、図１に示したような図示しない電池が配置されており、また、第１〜第ｍの入力ライン４０１1〜４０１mのそれぞれ対応するものには第１〜第ｍのプルダウン抵抗２４２1〜２４２mの一端が接続されている。これら第１〜第ｍのプルダウン抵抗２４２1〜２４２mの他端は、筐体開閉スイッチ２３５の一方の接点２３８に共通接続されている。筐体開閉スイッチ２３５の他方の接点２３６は電源ライン２４１に接続されている。筐体開閉スイッチ２３５には、制御部２０３（図１参照）から開閉状態信号２０９が供給されるようになっている。
【００４４】
実施例と異なり、筐体開閉スイッチ２３５は携帯電話機２００の折り畳み状態が検出されているとき、第１〜第ｍのプルダウン抵抗２４２1〜２４２mへの給電を一斉に遮断するようになっている。したがって、携帯電話機２００の折り畳み状態が検出されていない状態でのみキー押下検出部２１３は第１〜第ｍのキースイッチ２３１1〜２３１mの押下の有無に基づいた第１〜第ｍの検出結果２１４1〜２１４mを出力することになる。
【００４５】
このように本発明の第１の変形例では、携帯電話機２００の折り畳み状態が検出されているときに第１〜第ｍのプルダウン抵抗２４２1〜２４２mへの給電を絶つので、操作部２０５Ａにごみ等の異物が存在して局部的にキースイッチ２３１が押下されるような事態が発生しても、これによる誤操作が発生しないだけでなく、無駄な電力が消費されることもない。
【００４６】
＜発明の第２の変形例＞
【００４７】
図５は、本発明の第２の変形例として携帯電話機に挟み込んだ異物によるキーの意図しない押下電流を防止する処理の様子を表わしたものである。図１を基にしてこの処理を説明する。制御部２０３は、開閉検出部２１９が携帯電話機２００が折り畳まれたかどうかを監視している（ステップＳ５０１）。携帯電話機２００が折り畳まれたこと（閉状態）が検出されると（Ｙ）、制御部２０３は開閉状態信号２０９をオフ状態で出力して、図２に示した筐体開閉スイッチ２３５をオフにする（ステップＳ５０２）。
【００４８】
この後、制御部２０３は携帯電話機２００が開状態になったかを監視する（ステップＳ５０３）。開状態になったら（Ｙ）、その時点から図示しないタイマを使用して計時をスタートさせる（ステップＳ５０４）。そして、開閉検出部２１９が再び携帯電話機２００の閉状態を検出することがなく、設定されたタイマ値が満了したら（ステップＳ５０６：Ｎ、ステップＳ５０５：Ｎ、ステップＳ５０６：Ｙ）、ユーザが携帯電話機２００を頻繁に開閉していない状態であるとして、開閉状態信号２０９をオンにして筐体開閉スイッチ２３５をオンにする。すなわち、タイマの計時満了の時点をもって、それ以後の操作部２０５のキー操作を有効にする（ステップＳ５０７）。
【００４９】
一方、タイマの計時満了前に開閉検出部２１９が再び携帯電話機２００の閉状態を検出した場合には、ユーザが例えば無意味に携帯電話機２００の開閉を繰り返している可能性がある。このような場合に、図７に示したようにキースイッチ１０７のいずれかに比較的大きなゴミ等の異物１１１が付着していると、携帯電話機２００が閉じるたびにキー押下電流が流れることになる。
【００５０】
本発明の第２の変形例では、ステップＳ５０２で筐体開閉スイッチ２３５を一度オフにしたら、その後のステップＳ５０３で携帯電話機２００の開状態が検出されても、タイマの計時を開始させ、計時が満了する前に再び携帯電話機２００の閉状態が検出されたら（ステップＳ５０５：Ｙ）、ステップＳ５０２の処理に進むことにしている。すなわち、筐体開閉スイッチ２３５がオフの状態を保つので、操作部２０５には電流が一貫して流れないことになる。
【００５１】
このように本発明の第２の変形例によれば、ユーザが携帯電話機２００を癖等によって短時間に開閉操作を繰り返すようなことがあっても、そのたびに異物によるキー操作でキー押下電流が流れるという不都合を解消することができる。
【００５２】
なお、以上説明した実施例および変形例では、携帯電話機を例に挙げて説明したが、電子辞書、ノート型のパーソナルコンピュータのような情報処理装置についても本発明を同様に適用することができる。また、折り畳み式の情報処理装置に限られるものではなく、本発明はスライド式等の様々な形状の情報処理装置に適用可能である。
【図面の簡単な説明】
【００５３】
【図１】本発明の一実施例における携帯電話機の回路構成の概要を表わしたブロック図である。
【図２】本実施例の操作部と回路電源部の要部とこれらに関係する回路部分を具体的に表わした回路図である。
【図３】本実施例の制御部による開閉状態信号の出力制御の様子を表わした流れ図である。
【図４】本発明の第１の変形例における携帯電話機の回路構成の要部を表わした回路図である。
【図５】本発明の第２の変形例の携帯電話機に挟み込んだ異物によるキーの意図しない押下電流を防止する処理の様子を表わした流れ図である。
【図６】折り畳み型情報処理装置の一例としての折り畳み型携帯電話機を開いた状態を表わした斜視図である。
【図７】図６に示した携帯電話機を折り畳む直前の状態を断面構造として表わした断面図である。
【符号の説明】
【００５４】
１０１  第１の筐体
１０２  第２の筐体
１１１  異物
２００  携帯電話機
２０１  ＣＰＵ
２０２  制御プログラム格納部
２０３  制御部
２０５  操作部
２０６  回路電源部
２０７  電池
２１３  キー押下検出部
２１９  開閉検出部
２３１  キースイッチ
２３５  筐体開閉スイッチ
２４２  プルダウン抵抗
【図１】
2008177876.tif 000003
【図２】
2008177876.tif 000004
【図３】
2008177876.tif 000005
【図４】
2008177876.tif 000006
【図５】
2008177876.tif 000007
【図６】
2008177876.tif 000008
【図７】
2008177876.tif 000009